(57)【要約】      （修正有）【課題】第１のレンズと第２のレンズとが比較的に高い同軸度を有するように保証し、且つ、組み立ての安定性が高いレンズモジュールを提供する。【解決手段】第１の筒壁１０１Ａ及び第２の筒壁１０１Ｂを有するレンズチューブ１０１と、第１のレンズ１０４及び第２のレンズ１０５とでレンズモジュール１００を構成する。第１の筒壁１０１Ａは、光透過孔１０１Ｃ、及び第１の斜面を有する。第１のレンズ１０４における、第１の表面は、第１の円弧面と、第１の延伸面とを有し、第２の表面は、第１の斜面に当接する第２の斜面を有する。第２のレンズ１０５の上面は、第１の延伸面と所定の距離を隔てる第１の積載面と、第１の円弧面に当接する第２の円弧面とを有する。【選択図】図１
2015176149.tif 000002
【特許請求の範囲】
【請求項１】
レンズチューブと、前記レンズチューブ内に設けられるとともに前記レンズチューブに接続されるレンズ群とを含むレンズモジュールであって、
前記レンズチューブは、複数の筒壁と、前記複数の筒壁により囲まれて形成されている収容空間とを有し、
前記レンズ群には、前記収容空間内に位置され且つ前記筒壁に接続される第１のレンズと、前記第１のレンズの下に位置され且つ前記第１のレンズに接続される第２のレンズが含まれており、
前記筒壁は、光透過孔が設けられた第１の筒壁と、前記第１の筒壁から屈折して延伸される第２の筒壁とを備え、前記第１の筒壁における、前記収容空間に向かう表面に第１の斜面が形成され、
前記第１のレンズは、前記第２のレンズに向かう第１の表面と、前記第２のレンズから離れる第２の表面とを有し、前記第１の表面は第１の円弧面と前記第１の円弧面の一の側に接続される第１の延伸面とを有し、前記第２の表面は前記第１の斜面に当接する第２の斜面を有し、前記第１の斜面が前記第２の斜面に当接することにより、該レンズモジュールが第１の合わせ精度を有するようになり、
前記第２のレンズは前記第１のレンズに向かう上面を有し、前記上面は、順に連続して形成される、前記第１の延伸面と所定の距離を隔てる第１の積載面、及び前記第１の円弧面に当接する第２の円弧面を有し、前記第２の円弧面が前記第１の円弧面に合わせることにより、前記レンズモジュールが第２の合わせ精度を有するようになり、
前記第２の合わせ精度によって、前記第１のレンズ及び前記第２のレンズの光軸が共通し、前記第１の合わせ精度によって、前記光通過孔の中心が前記光軸に位置することを特徴とするレンズモジュール。
【請求項２】
前記第１の表面は、前記第１の円弧面の他の側に接続される第２の延伸面、前記第２の延伸面から屈折して延伸される遷移面、前記遷移面から屈折して延伸される第３の延伸面、及び第１の光学面を更に含み、前記上面は、順に連続して形成される、前記第２の円弧面に接続される第２の積載面及び第２の光学面を含んでいることを特徴とする請求項１に記載のレンズモジュール。
【請求項３】
前記第２の積載面と、前記第２の延伸面及び前記第３の延伸面との間に所定の距離が隔てられ、前記第１の光学面と前記第２の光学面との間に所定の距離が隔てられることを特徴とする請求項２に記載のレンズモジュール。
【請求項４】
前記第１の積載面及び前記第２の積載面のいずれも前記光軸に直交することを特徴とする請求項３に記載のレンズモジュール。
【請求項５】
前記第２の延伸面及び前記第３の延伸面のいずれも前記光軸に直交することを特徴とする請求項２に記載のレンズモジュール。
【請求項６】
前記第２のレンズは、前記上面に対向する下面、及び前記上面及び前記下面を接続する接続面を更に有し、前記接続面と前記第２の筒壁の前記収容空間に向かう表面との間に所定の距離が隔てられることを特徴とする請求項２に記載のレンズモジュール。
【請求項７】
前記第１の円弧面及び前記第２の円弧面に、前記第１の筒壁から最も近い又は最も遠い接続線があり、前記第１の円弧面及び前記第２の円弧面はいずれも前記接続線から前記筒壁の方向へ延伸する第１の部分、及び前記接続線から前記光軸の方向へ延伸する第２の部分を含んでいることを特徴とする請求項６に記載のレンズモジュール。
【発明の詳細な説明】
【技術分野】
【０００１】
本発明は、レンズモジュールに関するものである。
【背景技術】
【０００２】
科学技術が続けて発展することに伴い、電子設備のインテリジェント化が徐々に発展されており、デジタルカメラ以外に、携帯式の電子設備、例えばタブレットパソコン、携帯などもレンズモジュールを有するようになっている。人々の使用要望にかなうように、レンズモジュールによって撮影したものの画像品質にも高い要求がさらに求められている。撮影したものの画像品質はレンズモジュール内における各レンズの光軸の同軸度と大きく関係する。
【０００３】
関連技術では、レンズモジュールは、光透過孔が開設されたレンズチューブ及びレンズチューブ内に設置されるレンズ群を含み、レンズ群には少なくとも二枚の光学レンズが備えられ、光透過孔の幾何学中心を通過した直線及びこれらの光学レンズの光軸は重合される。即ち、高い同軸度を確保する必要がある。また、各光学レンズの間の相互接続も高い安定性が求められる。しかし、生産製造の過程において、光学レンズの間の偏心は比較的生じやすいことから、高い同軸度及び安定性の保証が困難である。
このため、新規レンズモジュールを提供することが必要となる。
【発明の概要】
【発明が解決しようとする課題】
【０００４】
本発明は、同軸度が良く、安定性の高いレンズモジュールを提供することを目的とする。
【課題を解決するための手段】
【０００５】
上記目的を達成するために、本発明は、レンズチューブと、前記レンズチューブ内に設けられるとともに前記レンズチューブに接続されるレンズ群とを含むレンズモジュールであって、前記レンズチューブは、複数の筒壁（Ｃｙｌｉｎｄｅｒ  ｗａｌｌ）と、前記複数の筒壁により囲まれて形成されている収容空間とを有し、前記レンズ群には、前記収容空間内に位置され且つ前記筒壁に接続される第１のレンズと、前記第１のレンズの下に位置され且つ前記第１のレンズに接続される第２のレンズが含まれており、
前記筒壁は、光透過孔が設けられた第１の筒壁と、前記第１の筒壁から屈折して延伸される第２の筒壁とを備え、前記第１の筒壁における、前記収容空間に向かう表面に第１の斜面が形成され、
前記第１のレンズは、前記第２のレンズに向かう第１の表面と、前記第２のレンズから離れる第２の表面とを有し、前記第１の表面は第１の円弧面と前記第１の円弧面の一の側に接続される第１の延伸面とを有し、前記第２の表面は前記第１の斜面に当接する第２の斜面を有し、前記第１の斜面が前記第２の斜面に当接することにより、該レンズモジュールが第１の合わせ精度を有するようになり、
前記第２のレンズは前記第１のレンズに向かう上面を有し、前記上面は、順に連続して形成される、前記第１の延伸面と所定の距離を隔てる第１の積載面、及び前記第１の円弧面に当接する第２の円弧面を有し、前記第２の円弧面が前記第１の円弧面に合わせることにより、前記レンズモジュールが第２の合わせ精度を有するようになり、
前記第２の合わせ精度によって、前記第１のレンズ及び前記第２のレンズの光軸が共通し、前記第１の合わせ精度によって、前記光通過孔の中心が前記光軸に位置するようになる。
【０００６】
好ましくは、前記第１の表面は、前記第１の円弧面の他側に接続される第２の延伸面、前記第２の延伸面から屈折して延伸される遷移面、前記遷移面から屈折して延伸される第３の延伸面、及び第１の光学面を更に含み、前記上面は、順に連続して形成される、前記第２の円弧面に接続される第２の積載面及び第２の光学面を含んでいる。
【０００７】
好ましくは、前記第２の積載面と、前記第２の延伸面及び前記第３の延伸面との間に所定の距離が隔てられ、前記第１の光学面と前記第２の光学面との間に所定の距離が隔てられる。
【０００８】
好ましくは、前記第１の積載面及び前記第２の積載面のいずれも前記光軸に直交する。
【０００９】
好ましくは、前記第２の延伸面及び前記第３の延伸面のいずれも前記光軸に直交する。
【００１０】
好ましくは、前記第２のレンズは、前記上面に対向する下面、及び前記上面及び前記下面を接続する接続面を更に有し、前記接続面と前記第２の筒壁の前記収容空間に向かう表面との間に所定の距離が隔てられる。
【００１１】
好ましくは、前記第１の円弧面及び前記第２の円弧面に、前記第１の筒壁から最も近い又は最も遠い接続（ジョイント）線があり、前記第１の円弧面及び前記第２の円弧面はいずれも前記接続線から前記筒壁の方向へ延伸する第１の部分、及び前記接続線から前記光軸の方向へ延伸する第２の部分を含んでいる。
【発明の効果】
【００１２】
第１の斜面が第２の斜面に当接していることにより、第１のレンズ及び光通過孔は高い同心度を有することが保証できる。第１のレンズの第１の円弧面が第２のレンズの第２の円弧面に当接していることにより、第１のレンズ及び第２のレンズは比較的高い同軸度を有することが保証でき、且つレンズ群とレンズ筒の取付の安定性が高い。
【図面の簡単な説明】
【００１３】
【図１】図１は、本発明によるレンズモジュールの第１の実施例の構造を示す概略図である。
【図２】図２は、本発明によるレンズモジュールの第１の実施例におけるレンズチューブの構造を示す概略図である。
【図３】図３は、本発明によるレンズモジュールの第１の実施例における第１のレンズの構造を示す概略図である。
【図４】図４は、本発明によるレンズモジュールの第１の実施例における第２のレンズの構造を示す概略図である。
【図５】図５は、本発明によるレンズモジュールの第２の実施例の構造を示す概略図である。
【図６】図６は、本発明によるレンズモジュールの第２の実施例におけるレンズチューブの構造を示す概略図である。
【図７】図７は、本発明によるレンズモジュールの第２の実施例における第１のレンズの構造を示す概略図である。
【図８】図８は、本発明によるレンズモジュールの第２の実施例における第２のレンズの構造を示す概略図である。
【発明を実施するための形態】
【００１４】
本発明に係る実施形態について、図面を参照しつつ説明する。
【第１の実施例】
【００１５】
図１に示されるように、レンズモジュール１００は、レンズチューブ１０１と、レンズチューブ１０１内に設けられているとともにレンズチューブ１０１に接続されるレンズ群１０３とを備える。
【００１６】
図２に示されるように、レンズチューブ１０１は第１の筒壁１０１Ａと、第１の筒壁１０１Ａから屈折して延伸される第２の筒壁１０１Ｂとを有する。第１の筒壁１０１Ａ及び第２の筒壁１０１Ｂに囲まれることで、一つの収容空間１０２が形成されており、第１の筒壁１０１Ａの中央に光透過孔１０１Ｃが開設されており、第１の筒壁１０１Ａにおける、収容空間１０２に向かう表面には、第１の斜面１０１Ｄが形成されている。
【００１７】
レンズ群１０３は第１のレンズ１０４と、第１のレンズ１０４に接続される第２のレンズ１０５とを備える。
【００１８】
図３に示されるように、第１のレンズ１０４は、第２のレンズ１０５に向かう第１の表面１０４Ｂ、第１の表面１０４Ｂに対向する第２の表面１０４Ａ、及び第１の表面１０４Ｂと第２の表面１０４Ａとを接続する側面１０４Ｃを有する。なお、第２の表面１０４Ａは第１の斜面１０１Ｄに当接する第２の斜面１０７を有する。第１の表面１０４Ｂは、第１の延伸面１０８、光軸１０６を中心として環状に分布される第１の円弧面１０９、第２の延伸面１１０、第２の延伸面１１０から屈折して延伸される遷移面１１１、前記遷移面１１１から屈折して延伸される第３の延伸面１１２、及び第１の光学面１１３を有しており、各面は上記の順に連続して形成されている。
【００１９】
図４に示されるように、第２のレンズ１０５は、第１のレンズ１０４に向かう上面１０５Ａ、上面１０５Ａに対向する下面１０５Ｂ、及び上面１０５Ａと下面１０５Ｂとを接続する接続面１０５Ｃを有する。なお、上面１０５Ａは、第１の積載面１１４、第１の円弧面１０９に当接する第２の円弧面１１５、第２の積載面１１６、及び第２の光学面１１７を有しており、各面は上記の順に連続して形成されている。第２のレンズ１０５における第２の円弧面１１５が第１のレンズ１０４における第１の円弧面１０９に当接することにより、レンズモジュール１００が第２の合わせ精度を有するようになり、第２の合わせ精度によって、第２のレンズ１０５及び第１のレンズ１０４の同軸度を保証することができる。すなわち、第２の円弧面１１５が第１の円弧面１０９に当接することにより、第１のレンズ１０４と第２のレンズ１０５とが光軸１０６を共通するようになる。
【００２０】
本実施例において、第１の円弧面１０９は下方に突起する円弧面であり、第２の円弧面１１５はこれに対応するように凹んだ円弧面である。なお、第１の円弧面を凹んだ円弧面とし、第２の円弧面をこれに対応するように上方に突起する円弧面とすることも可能である。第１の積載面１１４と第１の延伸面１０８との間に所定の間隔が置かれ、第２の積載面１１６と第２の延伸面１１０及び第３の延伸面１１２との間に所定の間隔が置かれ、第１の光学面１１３と第２の光学面１１７との間に所定の間隔が置かれている。第１の積載面１１４及び第２の積載面１１６のいずれも光軸１０６に直交する。第１の積載面１１４と第２の延伸面１１０及び第３の延伸面１１２との間に所定の間隔を置いた理由、また、第１の光学面１１３と第２の光学面１１７との間に所定の間隔を置いた理由は、遮光シートを置くためであり、第１のレンズ１０４と第２のレンズ１０５との間における空気間隔が上記両種の当接構造によって確定されるように保証するためでもある。また、遮光シートの厚さ公差は、第１のレンズ１０４と第２のレンズ１０５との間の空気間隔に影響を与えない。そして、第１の積載面１１４と第１の延伸面１０８との間に所定の間隔を置いた理由、また、接続面１０５Ｃと第２の筒壁１０１Ｂにおける収容空間１０２に向かう表面との間に所定の間隔を置いた理由は、第１のレンズ１０４と第２のレンズ１０５との同軸度が、相互に当接している第１の円弧面１０９及び第２の円弧面１１５によって確定されるようにするためである。このように、筒壁の同軸度の偏差はレンズ群の同軸度に影響しないことになる。
【００２１】
第１のレンズ１０４及び第２のレンズ１０５において、第１の円弧面１０９と第２の円弧面１１５との当接によって、第１のレンズ１０４と第２のレンズ１０５とが光軸を共通することが確保されており、そして、レンズ群１０３において、第１の斜面１０１Ｄと第２の斜面１０７との当接によって、光透過孔１０１Ｃの中心が光軸１０６に位置することが確保される。それによって、レンズチューブとレンズ群との同軸度を保証し難い問題を克服するようになる。
【第２の実施例】
【００２２】
図５に示されるように、レンズモジュール２００は、レンズチューブ２０１と、レンズチューブ２０１内に設けられるとともにレンズチューブ２０１に接続されるレンズ群２０３とを備える。
【００２３】
図６に示されるように、レンズチューブ２０１は、第１の筒壁２０１Ａと、第１の筒壁２０１Ａから屈折して延伸される第２の筒壁２０１Ｂとを有する。第１の筒壁２０１Ａ及び第２の筒壁２０１Ｂに囲まれることで、一つの収容空間２０２が形成されており、第１の筒壁２０１Ａの中央に光透過孔２０１Ｃが開けて設けられており、第１の筒壁２０１Ａにおける、収容空間２０２に向かう表面には、第１の斜面２０１Ｄが形成されている。
【００２４】
レンズ群２０３は第１のレンズ２０４と、第１のレンズ２０４に接続される第２のレンズ２０５とを備える。
【００２５】
図７に示されるように、第１のレンズ２０４は、第２のレンズ２０５に向かう第１の表面２０４Ｂ、第１の表面２０４Ｂに対向する第２の表面２０４Ａ、及び第１の表面２０４Ｂと第２の表面２０４Ａとを接続する側面２０４Ｃを有する。なお、第２の表面２０４Ａは第１の斜面２０１Ｄに当接する第２の斜面２０７を有する。第１の表面２０４Ｂは、光軸２０６を中心として環状に分布される第１の円弧面２０９、第１の円弧面２０９の一側に接続される第１の延伸面２０８、第１の円弧面２０９の他側に接続される第２の延伸面２１０、第２の延伸面２１０から屈折して延伸される遷移面２１１、及び第１の光学面２１２を有する。
【００２６】
図８に示されるように、第２のレンズ２０５は、第１のレンズ２０４に向かう上面２０５Ａ、上面２０５Ａに対向する下面２０５Ｂ、及び上面２０５Ａと下面２０５Ｂとを接続する接続面２０５Ｃを有する。なお、上面２０５Ａは、第１の積載面２１３、第１の円弧面２０９に当接する第２の円弧面２１４、第２の積載面２１５、及び第２の光学面２１６を有しており、各面は上記の順に連続して形成されている。第２のレンズ２０５における第２の円弧面２１４が第１のレンズ２０４における第１の円弧面２０９に当接していることにより、第２のレンズ２０５及び第１のレンズ２０４の同軸度を保証することができる。すなわち、第２の円弧面２１４が第１の円弧面２０９に当接していることにより、レンズモジュール２００が第２の合わせ精度を有するようになり、第２の合わせ精度により、第１のレンズ２０４と第２のレンズ２０５とが光軸２０６を共通するようになる。第１の積載面２１３と第１の延伸面２０８との間に所定の間隔が置かれており、第２の積載面２１５と第２の延伸面２１０及び遷移面２１１との間に所定の間隔が置かれており、第１の光学面２１２と第２の光学面２１６との間に所定の距離が置かれている。第１の積載面２１３及び第２の積載面２１５のいずれも光軸２０６に直交する。
【００２７】
本実施例において、第１の円弧面２０９及び第２の円弧面２１４には、第１の筒壁２０１Ａから最も遠い接続線がある。図７及び図８に示される断面図によれば、図面における右側の円弧を例とすると、接続線は第１の円弧面２０９及び第２の円弧面２１４の最低点と直線Ａとの交点として表示されている。第１の円弧面２０９は、当該接続線から第２の筒壁２０１Ｂの方向に延伸される第１の部分２０９Ａと、当該接続線から光軸２０６の方向に延伸される第２の部分２０９Ｂとを含み、第２の円弧面２１４も当該接続線から第２の筒壁２０１Ｂの方向に延伸される第１の部分２１４Ａと、当該接続線から光軸２０６の方向に延伸される第２の部分２１４Ｂとを含む。この時、第１の円弧面２０９は下方に突起する円弧面であり、第２の円弧面２１４はこれに対応して下方に凹んだ円弧面である。第１の円弧面及び第２の円弧面は第１の筒壁２０１Ａから最も近い接続線を有することも可能であり、その場合には、第１の円弧面は上方に凹んだ円弧面であり、第２の円弧面はこれに対応して上方に突起する円弧面である。
【００２８】
第２の積載面２１５と第２の延伸面２１０及び遷移面２１１との間に所定の間隔を置いた理由、また、第１の光学面２１２と第２の光学面２１６との間に所定の距離を置いた理由は、遮光シートを置くためであり、また、第１のレンズ２０４と第２のレンズ２０５との間における空気間隔が上記両種の当接構造によって確定されるように保証するためでもある。また、遮光シートの厚さ公差は第１のレンズ２０４と第２のレンズ２０５との間における空気間隔に影響を与えない。そして、第１の積載面２１３と第１の延伸面２０８との間に所定の間隔を置いた理由、また、接続面２０５Ｃと第２の筒壁２０１Ｂの収容空間２０２に向かう表面との間に所定の間隔を置いた理由は、第１のレンズ２０４と第２のレンズ２０５との同軸度が相互に当接される第１の円弧面２０９及び第２の円弧面２１４によって確定されるようにするためである。このように、筒壁の同軸度の偏差はレンズ群の同軸度に影響しないことになる。
【００２９】
第１のレンズ２０４及び第２のレンズ２０５において、第１の円弧面２０９と第２の円弧面２１４との当接によって、第１のレンズ２０４と第２のレンズ２０５とが光軸を共通することが確保されており、そして、レンズ群２０３において、第１の斜面２０１Ｄと第２の斜面２０７との当接によって、光透過孔２０１Ｃの中心が光軸２０６に位置することが確保されている。それによって、レンズチューブとレンズ群との同軸度を保証し難い問題を克服することができる。
【００３０】
以上に記述されたのは、本発明の実施形態に過ぎなく、当業者にとっては、本発明の設計主旨を超えない限り、さらに変更することができるが、これらの変更は本発明の保護範囲に含まれると理解されるべきであろう。
【符号の説明】
【００３１】
１００…レンズモジュール、１０１…レンズチューブ、１０１Ａ…第１の筒壁、１０１Ｂ…第２の筒壁、１０１Ｃ…光透過孔、１０１Ｄ…第１の斜面、１０２…収容空間、１０３…レンズ群、１０４…第１のレンズ、１０４Ａ…第２の表面、１０４Ｂ…第１の表面、１０４Ｃ…側面、１０５…第２のレンズ、１０５Ａ…上面、１０５Ｂ…下面、１０５Ｃ…接続面、１０６…光軸、１０７…第２の斜面、１０８…第１の延伸面、１０９…第１の円弧面、１１０…第２の延伸面、１１１…遷移面、１１２…第３の延伸面、１１３…第１の光学面、１１４…第１の積載面、１１５…第２の円弧面、１１６…第２の積載面、１１７…第２の光学面
２００…レンズモジュール、２０１…レンズチューブ、２０１Ａ…第１の筒壁、２０１Ｂ…第２の筒壁、２０１Ｃ…光透過孔、２０１Ｄ…第１の斜面、２０２…収容空間、２０３…レンズ群、２０４…第１のレンズ、２０４Ａ…第２の表面、２０４Ｂ…第１の表面、２０４Ｃ…側面、２０５…第２のレンズ、２０５Ａ…上面、２０５Ｂ…下面、２０５Ｃ…接続面、２０７…第２の斜面、２０８…第１の延伸面、２０９…第１の円弧面、２０９Ａ…第１の部分、２０９Ｂ…第２の部分、２１０…第２の延伸面、２１１…遷移面、２１２…第１の光学面、２１３…第１の積載面、２１４…第２の円弧面、２１４Ａ…第１の部分、２１４Ｂ…第２の部分、２１５…第２の積載面、２１６…第２の光学面
【図１】
2015176149.tif 000003
【図２】
2015176149.tif 000004
【図３】
2015176149.tif 000005
【図４】
2015176149.tif 000006
【図５】
2015176149.tif 000007
【図６】
2015176149.tif 000008
【図７】
2015176149.tif 000009
【図８】
2015176149.tif 000010